(57)【要約】【課題】併設された監視領域を監視対象とする場合の、操作性を向上させること。【解決手段】警備装置において、自宅の警備モードを記憶する自宅用警備モード記憶部２１２と、店舗の警備モードを記憶する店舗用警備モード記憶部２１３と、自宅に設置され、自宅の警備モードの入力を受け付ける操作表示部２２１と、店舗に設置され、店舗の警備モードの入力を受け付ける操作表示部２３１と、自宅用警備モード記憶部２１２に操作表示部２２１により入力された警備モードを設定し、店舗用警備モード記憶部２１３に操作表示部２３１により入力された警備モードを設定する警備モード切替部２２１とを備え、操作表示部２２１は、自宅在室者による店舗の警備モードの入力を受け付け、警備モード切替部２１１は、店舗用警備モード記憶手段２１３に、操作表示部２２１により入力された警備モードを設定する。【選択図】        図２
2007011614.tif 000002
【特許請求の範囲】
【請求項１】
第１の監視領域及び第１の監視領域と併設された第２の監視領域の異常を検知する警備装置において、
第１の監視領域において異常を検知した場合における通報先への通報の可否または監視領域内への報知の可否など、警備装置の動作を決定する複数の状態からなる警備モードを記憶する第１の警備モード記憶手段と、
第２の監視領域において異常を検知した場合における通報先への通報の可否または監視領域内への報知の可否など、警備装置の動作を決定する複数の状態からなる警備モードを記憶する第２の警備モード記憶手段と、
第１の監視領域に設置され、第１の監視領域にいる利用者による第１の監視領域の前記警備モードを設定するための入力を受け付ける第１の操作表示手段と、
第２の監視領域に設置され、第２の監視領域にいる利用者による第２の監視領域の前記警備モードを設定するための入力を受け付ける第２の操作表示手段と、
前記第１の警備モード記憶手段に、前記第１の操作表示手段によって入力を受け付けた前記警備モードを設定し、前記第２の警備モード記憶手段に、前記第２の操作表示手段によって入力を受け付けた前記警備モードを設定する警備モード切替手段と、を備え、
前記第１の操作表示手段は、更に、第１の監視領域にいる利用者による第２の監視領域の前記警備モードを設定するための入力を受け付け、
前記警備モード切替手段は、更に、第２の警備モード記憶手段に、前記第１の操作表示手段によって入力を受け付けた前記警備モードを設定すること、
を特徴とする警備装置。
【請求項２】
前記第２の操作表示手段は、更に、第２の監視領域にいる利用者による第１の監視領域の前記警備モードを設定するための入力を受け付け、
前記警備モード切替手段は、更に、第１の警備モード記憶手段に、前記第２の操作表示手段によって入力を受け付けた前記警備モードを設定すること、
を特徴とする請求項１に記載の警備装置。
【請求項３】
前記第１の操作表示手段は、更に、第１の監視領域にいる利用者による第２の監視領域の状況を確認する状況確認情報を要求する状況確認要求の入力を受け付け、
第２の監視領域の現在の警備モードまたは状況確認情報を取得し、前記第１の操作表示手段に表示する状況確認手段と、
を備えることを特徴とする請求項１または２に記載の警備装置。
【請求項４】
前記第２の操作表示手段は、更に、第２の監視領域にいる利用者による第１の監視領域の状況を確認する状況確認情報を要求する状況確認要求の入力を受け付け、
前記状況確認手段は、更に、第１の監視領域の現在の警備モードまたは状況確認情報を取得し、前記第２の操作表示手段に表示すること、
を特徴とする請求項１〜３のいずれか一つに記載の警備装置。
【請求項５】
第２の監視領域の異常を検知した場合に、第１の監視領域に異常検知情報を通報する異常通報手段と、
を備えることを特徴とする請求項１〜４のいずれか一つに記載の警備装置。
【請求項６】
前記異常通報手段は、更に、第１の監視領域の異常を検知した場合に、第２の監視領域に異常検知情報を通報すること、
を特徴とする請求項１〜５のいずれか一つに記載の警備装置。
【請求項７】
利用者に固有の利用者識別情報と前記警備モード切替手段による第２の監視領域における警備モードの設定の可否とを対応付けて記憶する利用者情報記憶手段を備え、
前記第１の操作表示手段は、更に、利用者による前記利用者識別情報の入力を受け付け、
前記第１の操作表示手段によって、入力を受け付けた前記利用者識別情報の利用者が、前記利用者情報において、第２の監視領域における警備モードの設定を許可されているか否かを照合する認証手段を備え、
前記第１の操作表示手段は、更に、第１の監視領域にいる利用者による第２の監視領域の前記警備モードを設定するための入力を受け付け、
前記警備モード切替手段は、更に、前記認証手段によって利用者が第２の監視領域における警備モードの設定を許可されていると判断された場合は、第２の警備モード記憶手段に、前記第１の操作表示手段によって受け付けた前記警備モードを設定すること、
を特徴とする請求項１〜６のいずれか一つに記載の警備装置。
【請求項８】
前記利用者情報記憶手段は、更に、前記利用者識別情報と前記警備モード切替手段による第１の監視領域における警備モードの設定の可否とを対応付けて記憶し、
前記第２の操作表示手段は、更に、利用者による前記利用者識別情報の入力を受け付け、
前記認証手段は、更に、前記第２の操作表示手段によって、入力を受け付けた前記利用者識別情報の利用者が、前記利用者情報において、第１の監視領域における警備モードの設定を許可されているか否かを照合し、
前記第２の操作表示手段は、更に、第２の監視領域にいる利用者による第１の監視領域の前記警備モードを設定するための入力を受け付け、
前記警備モード切替手段は、更に、前記認証手段によって利用者が第１の監視領域における警備モードの設定を許可されていると判断された場合は、第１の警備モード記憶手段に、前記第２の操作表示手段によって受け付けた前記警備モードを設定すること、
を特徴とする請求項１〜７のいずれか一つに記載の警備装置。
【請求項９】
前記利用者情報記憶手段は、更に、前記利用者識別情報と第２の監視領域の状況確認要求の可否とを対応付けて記憶し、
前記認証手段は、更に、前記第１の操作表示手段によって、入力を受け付けた前記利用者識別情報の利用者が、前記利用者情報において、第２の監視領域の状況確認要求を許可されているか否かを照合し、
前記第１の操作表示手段は、更に、第１の監視領域にいる利用者による第２の監視領域の状況確認情報を要求する状況確認要求の入力を受け付け、
前記状況確認手段は、更に、前記認証手段によって、利用者が第２の監視領域の状況確認を許可されていると判断された場合は、前記第２の監視領域の現在の警備モードまたは状況確認情報を取得し、取得した第２の監視領域の現在の警備モードまたは状況確認情報を、第１の操作表示手段に表示すること、
を特徴とする請求項１〜８のいずれか一つに記載の警備装置。
【請求項１０】
前記利用者情報記憶手段は、更に、前記利用者識別情報と第１の監視領域の状況確認要求の可否とを対応付けて記憶し、
前記認証手段は、更に、前記第２の操作表示手段によって、入力を受け付けた前記利用者識別情報の利用者が、前記利用者情報において、第１の監視領域の状況確認要求を許可されているか否かを照合し、
前記第２の操作表示手段は、更に、第２の監視領域にいる利用者による第１の監視領域の状況確認情報を要求する状況確認要求の入力を受け付け、
前記状況確認手段は、更に、前記認証手段によって、利用者が第１の監視領域の状況確認を許可されていると判断された場合は、前記第１の監視領域の現在の警備モードまたは状況確認情報を取得し、取得した第１の監視領域の現在の警備モードまたは状況確認情報を、第２の操作表示手段に表示すること、
を特徴とする請求項１〜９のいずれか一つに記載の警備装置。
【請求項１１】
異常を検知した場合における通報先への通報の可否または監視領域内への報知の可否など、警備装置の動作を決定する複数の状態からなる警備モードを設定するために、第１の監視領域にいる利用者による入力を受け付ける第１の操作表示ステップと、
異常を検知した場合における通報先への通報の可否または監視領域内への報知の可否など、警備装置の動作を決定する複数の状態からなる警備モードを設定するために、第２の監視領域にいる利用者による入力を受け付ける第２の操作表示ステップと、
第１の監視領域における前記警備モードを記憶する第１の警備モード記憶手段に、前記第１の操作表示ステップによって入力を受け付けた前記警備モードを設定し、第２の監視領域における前記警備モードを記憶する第２の警備モード記憶手段に、前記第２の操作表示ステップによって入力を受け付けた前記警備モードを設定する警備モード切替ステップと、を含み、
前記第１の操作表示ステップは、更に、第１の監視領域にいる利用者による第２の監視領域の前記警備モードを設定するための入力を受け付け、
前記警備モード切替ステップは、更に、第２の警備モード記憶手段に、前記第１の操作表示ステップによって入力を受け付けた前記警備モードを設定すること、
を特徴とする警備方法。
【発明の詳細な説明】
【技術分野】
【０００１】
本発明は、監視領域における異常を検知した場合に、異常検知情報を通報する警備装置に関するものであり、特に、併設された監視領域おいて、一方の監視領域から他方の監視領域の警備設定操作または状況確認等を行うことができる警備装置及び警備方法に関するものである。
【背景技術】
【０００２】
従来の警備装置として、監視領域に設置されているセンサが異常を検知した場合に、監視センタに警報を通報したり、ブザーなどの警報により在宅者に対して異常を報知するなど、監視領域の状況に応じて任意の警備モードに設定して警備を行うものが一般に知られている。
【０００３】
また、一般電話回線の接続されたテレビ電話と、自動通報機能、自動応答機能及び遠隔操作機能を備えた装置と、各種センサとを接続して、映像により自宅、店舗等を監視する技術が公開されている（例えば、特許文献１参照）。
【０００４】
【特許文献１】特開平１１−１５４２９２号公報
【発明の開示】
【発明が解決しようとする課題】
【０００５】
しかしながら、上記特許文献１は、警備装置を設置した監視領域から遠隔の場所より監視するものである。このため、併設された監視対象、例えば、自宅及び自宅に併設された店舗等の監視対象に設置するには、別個の警備装置を設置しなくてはならない。
【０００６】
また、警備モードとして、警備装置が異常を検知した場合に、異常検知情報を通報する警備状態と、異常検知情報を通報しない警備解除状態があり、警備状態に設定していた場合に、併設された監視領域の一方の監視領域である店舗部分において異常が検知され、他方の監視領域である自宅部分に店舗部分で異常検知された旨が報知される。このとき、自宅部分にいる者が店舗部分の状況を確認するために店舗部分に入る際、センサに検知されて無用な通報が行われるのを回避するため、まず、店舗側の警備装置の場所まで行き、店舗側を警備状態から警備解除状態に切り替えなければならず、店舗側の状況を確認する前に警備モードの変更という手間を要していた。
【０００７】
本発明は、上記に鑑みてなされたものであって、併設された監視領域のそれぞれ設置された警備装置において、一方の監視領域から他方の監視領域の警備モードの設定を行えるようにすることで、一方の監視領域に併設された他方の監視領域まで移動せずに状況に応じた警備モードの設定が可能となり、警備装置の操作性を向上させた警備装置、警備方法を得ることを目的とする。
【課題を解決するための手段】
【０００８】
上述した課題を解決し、目的を達成するために、請求項１にかかる発明は、第１の監視領域及び第１の監視領域と併設された第２の監視領域の異常を検知する警備装置において、第１の監視領域において異常を検知した場合における通報先への通報の可否または監視領域内への報知の可否など、警備装置の動作を決定する複数の状態からなる警備モードを記憶する第１の警備モード記憶手段と、第２の監視領域において異常を検知した場合における通報先への通報の可否または監視領域内への報知の可否など、警備装置の動作を決定する複数の状態からなる警備モードを記憶する第２の警備モード記憶手段と、第１の監視領域に設置され、第１の監視領域にいる利用者による第１の監視領域の前記警備モードを設定するための入力を受け付ける第１の操作表示手段と、第２の監視領域に設置され、第２の監視領域にいる利用者による第２の監視領域の前記警備モードを設定するための入力を受け付ける第２の操作表示手段と、前記第１の警備モード記憶手段に、前記第１の操作表示手段によって入力を受け付けた前記警備モードを設定し、前記第２の警備モード記憶手段に、前記第２の操作表示手段によって入力を受け付けた前記警備モードを設定する警備モード切替手段と、を備え、前記第１の操作表示手段は、更に、第１の監視領域にいる利用者による第２の監視領域の前記警備モードを設定するための入力を受け付け、前記警備モード切替手段は、更に、第２の警備モード記憶手段に、前記第１の操作表示手段によって入力を受け付けた前記警備モードを設定すること、を特徴とする。
【０００９】
また、請求項２にかかる発明は、請求項１に記載の警備装置において、前記第２の操作表示手段は、更に、第２の監視領域にいる利用者による第１の監視領域の前記警備モードを設定するための入力を受け付け、前記警備モード切替手段は、更に、第１の警備モード記憶手段に、前記第２の操作表示手段によって入力を受け付けた前記警備モードを設定すること、を特徴とする。
【００１０】
また、請求項３にかかる発明は、請求項１又は２に記載の警備装置において、前記第１の操作表示手段は、更に、第１の監視領域にいる利用者による第２の監視領域の状況を確認する状況確認情報を要求する状況確認要求の入力を受け付け、第２の監視領域の現在の警備モードまたは状況確認情報を取得し、前記第１の操作表示手段に表示する状況確認手段と、を備えることを特徴とする。
【００１１】
また、請求項４にかかる発明は、請求項１〜３のいずれか一つに記載の警備装置において、前記第２の操作表示手段は、更に、第２の監視領域にいる利用者による第１の監視領域の状況を確認する状況確認情報を要求する状況確認要求の入力を受け付け、前記状況確認手段は、更に、第１の監視領域の現在の警備モードまたは状況確認情報を取得し、前記第２の操作表示手段に表示すること、を特徴とする。
【００１２】
また、請求項５にかかる発明は、請求項１〜４のいずれか一つに記載の警備装置において、第２の監視領域の異常を検知した場合に、第１の監視領域に異常検知情報を通報する異常通報手段と、を備えることを特徴とする。
【００１３】
また、請求項６にかかる発明は、請求項１〜５のいずれか一つに記載の警備装置において、前記異常通報手段は、更に、第１の監視領域の異常を検知した場合に、第２の監視領域に異常検知情報を通報すること、を特徴とする。
【００１４】
また、請求項７にかかる発明は、請求項１〜６のいずれか一つに記載の警備装置において、利用者に固有の利用者識別情報と前記警備モード切替手段による第２の監視領域における警備モードの設定の可否とを対応付けて記憶する利用者情報記憶手段を備え、前記第１の操作表示手段は、更に、利用者による前記利用者識別情報の入力を受け付け、前記第１の操作表示手段によって、入力を受け付けた前記利用者識別情報の利用者が、前記利用者情報において、第２の監視領域における警備モードの設定を許可されているか否かを照合する認証手段を備え、前記第１の操作表示手段は、更に、第１の監視領域にいる利用者による第２の監視領域の前記警備モードを設定するための入力を受け付け、前記警備モード切替手段は、更に、前記認証手段によって利用者が第２の監視領域における警備モードの設定を許可されていると判断された場合は、第２の警備モード記憶手段に、前記第１の操作表示手段によって受け付けた前記警備モードを設定すること、を特徴とする。
【００１５】
また、請求項８にかかる発明は、請求項１〜７のいずれか一つに記載の警備装置において、前記利用者情報記憶手段は、更に、前記利用者識別情報と前記警備モード切替手段による第１の監視領域における警備モードの設定の可否とを対応付けて記憶し、前記第２の操作表示手段は、更に、利用者による前記利用者識別情報の入力を受け付け、前記認証手段は、更に、前記第２の操作表示手段によって、入力を受け付けた前記利用者識別情報の利用者が、前記利用者情報において、第１の監視領域における警備モードの設定を許可されているか否かを照合し、前記第２の操作表示手段は、更に、第２の監視領域にいる利用者による第１の監視領域の前記警備モードを設定するための入力を受け付け、前記警備モード切替手段は、更に、前記認証手段によって利用者が第１の監視領域における警備モードの設定を許可されていると判断された場合は、第１の警備モード記憶手段に、前記第２の操作表示手段によって受け付けた前記警備モードを設定すること、を特徴とする。
【００１６】
また、請求項９にかかる発明は、請求項１〜８のいずれか一つに記載の警備装置において、前記利用者情報記憶手段は、更に、前記利用者識別情報と第２の監視領域の状況確認要求の可否とを対応付けて記憶し、前記認証手段は、更に、前記第１の操作表示手段によって、入力を受け付けた前記利用者識別情報の利用者が、前記利用者情報において、第２の監視領域の状況確認要求を許可されているか否かを照合し、前記第１の操作表示手段は、更に、第１の監視領域にいる利用者による第２の監視領域の状況確認情報を要求する状況確認要求の入力を受け付け、前記状況確認手段は、更に、前記認証手段によって、利用者が第２の監視領域の状況確認を許可されていると判断された場合は、前記第２の監視領域の現在の警備モードまたは状況確認情報を取得し、取得した第２の監視領域の現在の警備モードまたは状況確認情報を、第１の操作表示手段に表示すること、を特徴とする。
【００１７】
また、請求項１０にかかる発明は、請求項１〜９のいずれか一つに記載の警備装置において、前記利用者情報記憶手段は、更に、前記利用者識別情報と第１の監視領域の状況確認要求の可否とを対応付けて記憶し、前記認証手段は、更に、前記第２の操作表示手段によって、入力を受け付けた前記利用者識別情報の利用者が、前記利用者情報において、第１の監視領域の状況確認要求を許可されているか否かを照合し、前記第２の操作表示手段は、更に、第２の監視領域にいる利用者による第１の監視領域の状況確認情報を要求する状況確認要求の入力を受け付け、前記状況確認手段は、更に、前記認証手段によって、利用者が第１の監視領域の状況確認を許可されていると判断された場合は、前記第１の監視領域の現在の警備モードまたは状況確認情報を取得し、取得した第１の監視領域の現在の警備モードまたは状況確認情報を、第２の操作表示手段に表示すること、を特徴とする。
【００１８】
また、請求項１１にかかる発明は、異常を検知した場合における通報先への通報の可否または監視領域内への報知の可否など、警備装置の動作を決定する複数の状態からなる警備モードを設定するために、第１の監視領域にいる利用者による入力を受け付ける第１の操作表示ステップと、異常を検知した場合における通報先への通報の可否または監視領域内への報知の可否など、警備装置の動作を決定する複数の状態からなる警備モードを設定するために、第２の監視領域にいる利用者による入力を受け付ける第２の操作表示ステップと、第１の監視領域における前記警備モードを記憶する第１の警備モード記憶手段に、前記第１の操作表示ステップによって入力を受け付けた前記警備モードを設定し、第２の監視領域における前記警備モードを記憶する第２の警備モード記憶手段に、前記第２の操作表示ステップによって入力を受け付けた前記警備モードを設定する警備モード切替ステップと、を含み、前記第１の操作表示ステップは、更に、第１の監視領域にいる利用者による第２の監視領域の前記警備モードを設定するための入力を受け付け、前記警備モード切替ステップは、更に、第２の警備モード記憶手段に、前記第１の操作表示ステップによって入力を受け付けた前記警備モードを設定すること、を特徴とする。
【発明の効果】
【００１９】
請求項１にかかる発明によれば、第１の監視領域に設置された第１の操作表示手段によって、第１の監視領域にいる利用者による第１の監視領域の警備モードを設定するための入力を受け付け、第２の監視領域に設置された第２の操作表示手段によって、第２の監視領域にいる利用者による第２の監視領域の警備モードを設定するための入力を受け付け、警備モード切替手段によって、第１の警備モード記憶手段に、第１の操作表示手段によって入力を受け付けた警備モードを設定し、第２の警備モード記憶手段に、第２の操作表示手段によって入力を受け付けた警備モードを設定し、第１の操作表示手段によって、第１の監視領域にいる利用者による第２の監視領域の警備モードを設定するための入力を受け付け、警備モード切替手段によって、第２の警備モード記憶手段に、第１の操作表示手段によって入力を受け付けた警備モードを設定する。
【００２０】
このため、第１の監視領域に併設された第２の監視領域まで移動せずに、第１の監視領域から第２の監視領域の警備モードを設定することができ、警備モードの設定について労力の軽減と時間の節約が可能となるという効果を奏する。
【００２１】
また、第２の監視領域において異常が検知された場合、第１の監視領域にいる利用者は、その場で第１の操作表示手段を操作して第２の監視領域を警備解除状態に設定でき、点検や確認のために第２の監視領域に入る際の第２の監視領域の警備モードの設定を即時に行うことができ、速やかに点検や確認を行うことができるという効果を奏する。
【００２２】
また、請求項２にかかる発明によれば、第２の操作表示手段によって、第２の監視領域にいる利用者による第１の監視領域の警備モードを設定するための入力を受け付け、警備モード切替手段によって、更に、第１の警備モード記憶手段に、第２の操作表示手段によって入力を受け付けた警備モードを設定する。
【００２３】
このため、第２の監視領域に併設された第１の監視領域まで移動せずに、第２の監視領域から第１の監視領域の警備モードを設定することができ、警備モードの設定について労力の軽減と時間の節約が可能となるという効果を奏する。
【００２４】
また、第１の監視領域において異常が検知された場合、第２の監視領域にいる利用者は、その場で第２の操作表示手段を操作して第１の監視領域を警備解除状態に設定でき、点検や確認のために第１の監視領域に入る際の第１の監視領域の警備モードの設定を即時に行うことができ、速やかに点検や確認を行うことができるという効果を奏する。
【００２５】
また、請求項３にかかる発明によれば、第１の操作表示手段によって、第１の監視領域にいる利用者による第２の監視領域の状況を確認する状況確認情報を要求する状況確認要求の入力を受け付け、状況確認手段によって、第２の監視領域の現在の警備モードまたは状況確認情報を取得し、第１の操作表示手段に表示する。
【００２６】
このため、第１の監視領域に併設された第２の監視領域まで移動せずに、第１の監視領域から第２の監視領域の現在の警備モードまたは状況を確認することができるという効果を奏する。
【００２７】
また、第２の監視領域において異常が検知された場合、第１の監視領域にいる利用者は、第１の操作表示手段で第２の監視領域における異常発生箇所など詳細な状況を把握した上で、点検や確認のために第２の監視領域に入ることができるため、速やかに第２の監視領域の異常発生箇所に移動し、適切かつ安全に確認または対処を行うことができる。更に、窃盗犯等が侵入した場合には、窃盗犯が潜んでいる可能性のある場所を把握した上で対処できることから、無防備な状態で窃盗犯に鉢合わせするなどの危険な状況に陥ることを回避できるという効果を奏する。
【００２８】
また、請求項４にかかる発明によれば、第２の操作表示手段によって、第２の監視領域にいる利用者による第１の監視領域の状況を確認する状況確認情報を要求する状況確認要求の入力を受け付け、状況確認手段によって、第１の監視領域の現在の警備モードまたは状況確認情報を取得し、第２の操作表示手段に表示する。
【００２９】
このため、第２の監視領域に併設された第１の監視領域まで移動せずに、第２の監視領域から第１の監視領域の現在の警備モードまたは状況を確認することができるという効果を奏する。
【００３０】
また、第１の監視領域において異常が検知された場合、第２の監視領域にいる利用者は、第２の操作表示手段で第１の監視領域における異常発生箇所など詳細な状況を把握した上で、点検や確認のために第１の監視領域に入ることができるため、速やかに第１の監視領域の異常発生箇所に移動し、適切かつ安全に確認または対処を行うことができる。更に、窃盗犯等が侵入した場合には、窃盗犯が潜んでいる可能性のある場所を把握した上で対処できることから、無防備な状態で窃盗犯に鉢合わせするなどの危険な状況に陥ることを回避できるという効果を奏する。
【００３１】
また、請求項５にかかる発明によれば、第２の監視領域の異常を検知した場合、異常通報手段によって、第１の監視領域に異常検知情報を通報する。このため、第１の監視領域に併設された第２の監視領域において異常が検知されたことを早期に知ることができるので、窃盗犯の侵入等や火災やガス漏れなどが発生した場合に、第１の監視領域にいる利用者が身の危険にさらされることを回避し、あるいは早期に対処することで被害拡大を防止することができるという効果を奏する。
【００３２】
また、請求項６にかかる発明によれば、第１の監視領域の異常を検知した場合、異常通報手段によって、第２の監視領域に異常検知情報を通報する。このため、第２の監視領域に併設された第１の監視領域において異常が検知されたことを早期に知ることができるので、窃盗犯の侵入等や火災やガス漏れなどが発生した場合に、第２の監視領域にいる利用者が身の危険にさらされることを回避し、あるいは早期に対処することで被害拡大を防止することができるという効果を奏する。
【００３３】
また、請求項７にかかる発明によれば、第１の操作表示手段によって、利用者による利用者識別情報の入力を受け付け、認証手段によって、第１の操作表示手段により入力を受け付けた利用者識別情報の利用者が、利用者情報において、第２の監視領域における警備モードの設定を許可されているか否かを照合し、第１の操作表示手段によって、第１の監視領域にいる利用者による第２の監視領域の警備モードを設定するための入力を受け付け、警備モード切替手段によって、認証手段によって利用者が第２の監視領域における警備モードの設定を許可されていると判断された場合は、第２の警備モード記憶手段に、第１の操作表示手段によって受け付けた警備モードを設定する。
【００３４】
このように、第２の監視領域に対する警備モード設定の許可または不許可の権限を与えることにより、第１の監視領域から第２の監視領域の警備モードの設定を行わせたくない者による警備モードの設定を制限し、第２の監視領域の状況に合わせた警備モード設定の権限による利用を可能にするという効果を奏する。
【００３５】
また、請求項８にかかる発明によれば、第２の操作表示手段によって、利用者による利用者識別情報の入力を受け付け、認証手段によって、第２の操作表示手段により入力を受け付けた利用者識別情報の利用者が、利用者情報において、第１の監視領域における警備モードの設定を許可されているか否かを照合し、第２の操作表示手段によって、第２の監視領域にいる利用者による第１の監視領域の警備モードを設定するための入力を受け付け、警備モード切替手段によって、認証手段によって利用者が第１の監視領域における警備モードの設定を許可されていると判断された場合は、第１の警備モード記憶手段に、第２の操作表示手段によって受け付けた警備モードを設定する。
【００３６】
このように、第１の監視領域に対する警備モード設定の許可または不許可の権限を与えることにより、第２の監視領域から第１の監視領域の警備モードの設定を行わせたくない者による警備モードの設定を制限し、第１の監視領域の状況に合わせた警備モード設定の権限による利用を可能にするという効果を奏する。
【００３７】
また、請求項９にかかる発明によれば、第１の操作表示手段によって、第１の監視領域を利用する者による利用者識別情報の入力を受け付け、認証手段によって、第１の操作表示手段により入力を受け付けた利用者識別情報の利用者が、利用者情報において、第２の監視領域の状況確認要求を許可されているか否かを照合し、第１の操作表示手段によって、第１の監視領域にいる利用者による第２の監視領域の状況確認情報を要求する状況確認要求の入力を受け付け、状況確認手段によって、認証手段により利用者が第２の監視領域の状況確認を許可されていると判断された場合は、第２の監視領域の現在の警備モードまたは状況確認情報を取得し、取得した第２の監視領域の現在の警備モードまたは状況確認情報を、第１の操作表示手段に表示する。
【００３８】
このように、第２の監視領域の状況確認要求の許可または不許可の権限を与えることにより、第１の監視領域から第２の監視領域の状況を確認させたくない者による状況確認を制限し、第２の監視領域の状況に合わせた状況確認要求の権限による利用を可能にするという効果を奏する。
【００３９】
また、請求項１０にかかる発明によれば、第２の操作表示手段によって、第２の監視領域を利用する者による利用者識別情報の入力を受け付け、認証手段によって、第２の操作表示手段により入力を受け付けた利用者識別情報の利用者が、利用者情報において、第２の監視領域の状況確認要求を許可されているか否かを照合し、第２の操作表示手段によって、第２の監視領域にいる利用者による第１の監視領域の状況確認情報を要求する状況確認要求の入力を受け付け、状況確認手段によって、認証手段により利用者が第１の監視領域の状況確認を許可されていると判断された場合は、第１の監視領域の現在の警備モードまたは状況確認情報を取得し、取得した第１の監視領域の現在の警備モードまたは状況確認情報を、第２の操作表示手段に表示する。
【００４０】
このように、第１の監視領域の状況確認要求の許可または不許可の権限を与えることにより、第２の監視領域から第１の監視領域の状況を確認させたくない者による状況確認を制限し、第１の監視領域の状況に合わせた状況確認要求の権限による利用を可能にするという効果を奏する。
【００４１】
また、請求項１１にかかる発明によれば、第１の操作表示ステップにより、第１の監視領域を利用する者による第１の監視領域の警備モードの入力を受け付け、第２の操作表示ステップにより、第２の監視領域を利用する者による第２の監視領域の警備モードの入力を受け付け、警備モード切替ステップによって、第１の警備モード記憶手段に、第１の操作表示ステップによって入力を受け付けた警備モードを設定し、第２の警備モード記憶手段に、第２の操作表示ステップによって入力を受け付けた警備モードを設定し、第１の操作表示ステップによって、第１の監視領域にいる利用者による第２の監視領域の警備モードを設定するための入力を受け付け、警備モード切替ステップによって、第２の警備モード記憶手段に、第１の操作表示ステップによって入力を受け付けた警備モードを設定する。
【００４２】
このため、第１の監視領域に併設された第２の監視領域まで移動せずに、第１の監視領域から第２の監視領域の警備モードを設定することができ、警備モードの設定について労力の軽減と時間の節約が可能となるという効果を奏する。
【００４３】
また、第２の監視領域において異常が検知された場合、第１の監視領域にいる利用者は、その場で第１の操作表示手段を操作して第２の監視領域を警備解除状態に設定でき、点検や確認のために第２の監視領域に入る際の第２の監視領域の警備モードの設定を即時に行うことができ、速やかに点検や確認を行うことができるという効果を奏する。
【発明を実施するための最良の形態】
【００４４】
以下に添付図面を参照して、この発明にかかる警備装置、警備方法の最良な実施の形態を詳細に説明する。
【００４５】
（第１の実施の形態）
まず、第１の実施の形態について、添付図面を参照して説明する。第１の実施の形態の警備装置は、監視領域において異常が検知された場合に、異常検知情報を監視センタ等の通報先に通報する警備装置において、併設された監視領域に警備装置を設置している場合に、一方の監視領域から他方の監視領域の警備モードを変更できるものである。
【００４６】
図１は、本実施の形態にかかる警備システムの構成を示すブロック図である。本実施の形態にかかる警備システム１００は、警備装置１１０と、監視センタ１３０とから構成されており、警備装置１１０と監視センタ１３０はネットワーク１２０を介して接続されている。
【００４７】
警備装置１１０は、自宅と店舗が併設されている店舗付き住宅において、自宅と店舗のそれぞれを監視領域としており、自宅側に設置されている。そして、警備装置１１０の警備設定等の操作を行うコントローラ２２０、サブコントローラ２３０が自宅、店舗のそれぞれに設置されている。ここで、自宅は本発明における第１の監視領域に相当し、店舗は本発明における第２の監視領域に相当する。
【００４８】
警備装置１１０は、自宅及び店舗のそれぞれにおいて異常を検知した場合、監視センタ１３０に異常検知情報を通報し、さらに自宅と店舗のそれぞれに異常を検知した旨の警報等を報知するものである。
【００４９】
ネットワーク１２０は、電話回線、無線ネットワーク、インターネットなどであって、警備装置１１０と監視センタ１３０を接続している。
【００５０】
監視センタ１３０は、警備装置１１０からの異常検知情報を受信した場合に、待機中の警備員に対して異常が検知された監視領域へ向かう旨の指示を出すとともに、必要に応じて警察や消防など関係機関への通報を行うセンタである。
【００５１】
次に、警備装置１１０の詳細について説明する。図２は、本実施の形態にかかる警備装置の構成を示すブロック図である。図２に示すように、本実施の形態にかかる警備装置１１０は、複数のセンサ２０１ａ〜２０１ｎと、カメラ２０２と、複数のセンサ２０３ａ〜２０３ｎと、カメラ２０４と、入出力制御部２０５と、通信制御部２０６と、利用者データベース２０７と、制御部２１０と、コントローラ２２０と、サブコントローラ２３０と、を主に備えている。
【００５２】
センサ２０１ａ〜２０１ｎは、自宅側に設置されて自宅への侵入者等を検知するもので設置された人感センサであり、たとえば赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検出する各種センサ等が該当する。また、センサ２０３ａ〜２０３ｎは、店舗側に設置されて店舗への侵入者等を検知するもので設置された人感センサであり、具体的なセンサの例としては、自宅側のセンサ２０１ａ〜２０１ｎと同様である。
【００５３】
カメラ２０２は、自宅側に設置され、自宅の内部及びその周辺を撮像するものである。カメラ２０４は、店舗側に設置され、店舗の内部及びその周辺を撮像するものである。
【００５４】
入出力制御部２０５は、サブコントローラ２３０の入出力制御、センサ２０１ａ〜２０１ｎ、センサ２０３ａ〜２０３ｎ、カメラ２０２、カメラ２０４の入力制御より種々のデータの入出力を制御する処理部である。
【００５５】
通信制御部２０６は、警備装置１１０とネットワーク１２０との間における通信を制御するものであり、具体的にはネットワークボードなどが該当する。
【００５６】
利用者データベース２０７は、予め設定された利用者ＩＤを登録したデータベースである。ここで、利用者データベース２０７は、本発明における利用者情報記憶手段に相当する。
【００５７】
制御部２１０は、さらに警備モード切替部２１１と、自宅用警備モード記憶部２１２と、店舗用警備モード記憶部２１３と、認証部２１４と、異常通報部２１５と、状況確認部２１６とを主に備えている。
【００５８】
警備モード切替部２１１は、自宅用警備モード記憶部２１２又は店舗用警備モード記憶部２１３に、コントローラ２２０又はサブコントローラ２３０から入力を受け付けた警備モードの設定を行うものである。ここで、警備モードとは、自宅及び店舗において異常を検知した場合の通報の可否、自宅内または店舗内へ異常検知した旨の報知の可否など、警備装置の動作を決定するモードである。具体的には、警備モードとして、警備状態、在宅警備状態、セルフ警備状態、警備解除状態があり、コントローラ２２０又はサブコントローラ２３０によって、いずれかの警備モードに設定される。
【００５９】
まず、警備状態とは、センサによって異常を検知したときに発せられる検知信号を警備装置が受信した場合に、監視センタに異常を知らせる警報を通報する状態である。また、異常が検知された監視領域内に対して、異常が検知された旨を報知する場合もある。これは、侵入者を威嚇する目的や誤報である場合に警報解除操作を促す目的で報知するものである。
【００６０】
在宅警備状態とは、センサによって異常を検知したときに発せられる検知信号を警備装置が受信した場合に、監視領域において異常を検知したことを報知する状態である。また、監視領域だけではなく監視センタに異常を知らせる警報を報知する場合もある。これは、在宅時においても監視センタへの通報を行う契約を結んだ場合であり、監視領域において異常を検知したことを報知した後に、監視センタに通報を行うなどの動作をする。
【００６１】
セルフ警備状態とは、センサによって異常を検知したときに発せられる検知信号を警備装置が受信した場合に、外出時の利用者が所持する携帯電話や固定電話などの通報先端末に異常を検知したことを通報する状態である。また、監視領域において異常を検知したことを報知する場合がある。これは、侵入者を威嚇する目的や誤報である場合に警報解除操作を促す目的で報知するものである。
【００６２】
警備解除状態とは、センサによって異常を検知したときに発せられる検知信号を警備装置が受信した場合でも、監視センタへの警報の通報、監視領域における異常の検知、通報先端末への異常の通報のいずれも行わない状態である。尚、前記いずれの警備モードであっても、検知された異常が火災やガス漏れの場合、または、非常ボタンが操作された場合は、監視センタへの通報を行い、必要に応じて監視領域における異常の検知、通報先端末への異常の通報などを行う。
【００６３】
自宅用警備モード記憶部２１２は、自宅における現在の上述した警備モードを記憶するメモリなどの記憶媒体である。また、店舗用警備モード記憶部２１３は、店舗における現在の警備モードを記憶するメモリなどの記憶媒体である。ここで、自宅用警備モード記憶部２１２は、本発明における第1の警備モード記憶手段に相当し、店舗用警備モード記憶部２１３は、本発明における第２の警備モード記憶手段に相当する。
【００６４】
認証部２１４は、コントローラ２２０又はサブコントローラ２３０により、警備モードの設定等を行う自宅または店舗の在室者が入力したＩＤが、利用者データベース２０７に登録されている利用者ＩＤであるかを照合するものである。ここで、自宅在室者は、本発明における第１の監視領域にいる利用者に相当し、店舗在室者は、本発明における第２の監視領域にいる利用者に相当する。
【００６５】
異常通報部２１５は、自宅又は店舗の現在の警備モードが警備解除状態以外に設定され、自宅用警備モード記憶部２１２又は店舗用警備モード記憶部２１３に記憶されている場合に、センサ２０１ａ〜２０１又はセンサ２０３ａ〜２０３ｎが異常を検知すると、異常検知情報を通報するものである。また、異常通報部２１５は、監視センタ１３０に対しても異常検知情報を通報する。
【００６６】
状況確認部２１６は、自宅用警備モード記憶部２１２又は店舗用警備モード記憶部２１３から自宅又は店舗の現在の警備モードを取得し、カメラ２０２又はカメラ２０４によって撮像された自宅又は店舗の状況確認情報を取得し、操作表示部２２１又は操作表示部２３１に表示するものである。ここで、状況確認情報とは、カメラ２０２、カメラ２０４による監視領域の内部及びその周辺の撮像画像等が該当する。
【００６７】
次に、コントローラ２２０の詳細について説明する。コントローラ２２０は、自宅の警備装置に設置されており、自宅及び店舗の警備モードの設定、状況確認等のための表示制御及び入力制御を行うものである。コントローラ２２０は、更に、操作表示部２２１と、マイク２２２と、スピーカ２２３と、を主に備えている。
【００６８】
操作表示部２２１は、例えばタッチ入力式の液晶画面であり、自宅在室者により入力された利用者ＩＤを受け付け、自宅における上記いずれかの警備モードの入力を受け付けるものであり、更に、自宅在室者が自宅にいながら、店舗における上記いずれかの警備モードの入力を受け付けるものである。また、操作表示部２２１は、自宅在室者により自宅の状況を確認する状況確認情報を要求する状況確認要求の入力を受け付けるものであり、更に、自宅在室者が自宅にいながら、店舗の状況を確認する状況確認情報を要求する状況確認要求の入力を受け付けるものである。ここで、操作表示部２２１は、本発明における第１の操作表示手段に相当する。
【００６９】
マイク２２２は、自宅にいる者が発した音声を取得し、スピーカ２２３は送信された音声を自宅に出力するものである。
【００７０】
次に、サブコントローラ２３０の詳細について説明する。サブコントローラ２３０は、店舗に設置されており、自宅及び店舗の警備モードの設定、状況確認等のための表示制御及び入力制御を行うものである。コントローラ２３０は、更に、操作表示部２３１と、マイク２３２と、スピーカ２３３と、を主に備えている。
【００７１】
操作表示部２３１は、例えばタッチ入力式の液晶画面であり、店舗在室者により入力された利用者ＩＤを受け付け、店舗における上記いずれかの警備モードの入力を受け付けるものであり、更に、店舗在室者が店舗にいながら、自宅における上記いずれかの警備モードの入力を受け付けるものである。また、操作表示部２３１は、店舗在室者により店舗の状況を確認する状況確認情報を要求する状況確認要求の入力を受け付けるものであり、更に、店舗在室者が店舗にいながら、自宅の状況を確認する状況確認情報を要求する状況確認要求の入力を受け付けるものである。ここで、操作表示部２３１は、本発明における第２の操作表示手段に相当する。
【００７２】
マイク２３２は、店舗にいる者が発した音声を取得し、スピーカ２３３は送信された音声を店舗に出力するものである。
【００７３】
次に、以上のように構成された本実施の形態にかかる警備モード設定処理について説明する。図３は、本実施の形態にかかる自宅に設置されたコントローラ２２０の操作表示部２２１により店舗及び自宅の警備モード設定が行われた場合の警備モード設定処理の手順を示すフローチャートである。
【００７４】
まず、自宅に設置されたコントローラ２２０の操作表示部２２１から、自宅在室者による利用者ＩＤが入力される。そして、認証部２１４は、操作表示部２２１より受け付けた利用者ＩＤが利用者データベース２０７に登録されているか否かを判断することにより、認証部２１４が利用者データベース２０７に登録されている利用者であるか否かを照合する（ステップＳ３０１）。
【００７５】
次に、操作表示部２２１から、自宅在室者によって監視領域と警備モードが入力される。図４は、操作表示部２２１における監視領域の選択画面の一例を示す模式図である。図４に示すように、操作表示部２２１には、警備モード設定を行う監視領域を選択するための自宅及び店舗のボタンが表示される。自宅在室者が店舗の警備モード設定を行う場合には、自宅在室者が店舗のボタンを押下すると、警備モード設定を行う監視領域が店舗に選択され、店舗の警備モード設定画面が表示される。
【００７６】
また、図５は、操作表示部２２１における店舗の警備モード設定画面の一例を示す模式図である。図５に示すように、操作表示部２２１には、警備モード設定としての、警備状態、在宅警備状態、セルフ警備状態及び警備解除状態に対応する各ボタンが表示される。自宅在室者が警備モードを、警備状態から警備解除状態に設定する場合には、自宅在室者が警備解除状態のボタンを押下すると、警備モード切替部２２１は、店舗用警備モード記憶部２１３に記憶されている警備状態を警備解除状態に設定する。
【００７７】
次に、警備モード切替部２１１は、自宅在室者により入力された監視領域と警備モードを受け付ける（ステップＳ３０２）。そして、警備モード切替部２１１は、受け付けた監視領域が店舗であるか自宅であるかを判断する（ステップＳ３０３）。
【００７８】
受け付けた監視領域が店舗であった場合（ステップＳ３０３：Ｙｅｓ）、警備モード切替部２１１は、店舗用警備モード記憶部２１３に記憶されている現在の警備モードを、自宅在室者により入力された警備モードに設定する（ステップＳ３０４）。具体的には、警備状態、在宅警備状態、セルフ警備状態、警備解除状態が設定される。
【００７９】
そして、警備モード切替部２１１は、操作表示部２２１に、店舗の警備モードを設定した旨を表示する（ステップＳ３０６）。図６は、操作表示部２２１における店舗の警備モード設定完了画面の一例を示す模式図である。図６に示すように、警備モード切替部２１１による設定が完了した場合は、「店舗を警備解除状態に設定しました。」等の警備モード設定を行った自宅在室者に警備モード設定が完了した旨のメッセージが表示される。
【００８０】
一方、受け付けた監視領域が自宅であった場合（ステップＳ３０３：Ｎｏ）、警備モード切替部２１１は、自宅用警備モード記憶部２１３に記憶されている現在の警備モードを、自宅在室者により入力された警備モードに設定する（ステップＳ３０５）。そして、警備モード切替部２１１は、操作表示部２２１に、自宅の警備モード設定が完了した旨を表示する（ステップＳ３０６）。
【００８１】
このように、本実施の形態では、操作表示部２２１によって、自宅在室者による店舗の警備モードを設定するための入力を受け付け、警備モード切替部２１１によって、店舗用警備モード記憶部２１３に、操作表示部２２１によって入力を受け付けた警備モードを設定する。このため、自宅に併設された店舗まで移動せずに、自宅から店舗の警備モードを設定することができ、警備モードの設定について労力の軽減と時間の節約が可能となる。また、店舗において異常が検知された場合、自宅在室者は、その場で操作表示部２２１を操作して店舗を警備解除状態に設定でき、点検や確認のために店舗に入る際の店舗の警備モードの設定を即時に行うことができ、速やかに点検や確認を行うことができる。
【００８２】
例えば、店舗において異常が検知された場合に、自宅在室者が店舗の状況確認や点検のために店舗に入る際、店舗の警備モードを、予め警備状態から警備解除状態に設定してから店舗に入ることができる。また、コントローラ２２０、サブコントローラ２３０は、それぞれの監視領域にいる利用者が利用しやすい位置、即ち、自宅であれば台所や居間、店舗であればレジ周りなどに設置されていることが多く、自宅と店舗の出入りを行う両領域間に設けられた扉からは、離れた位置に設置されることもある。このような場合、本実施の形態では、自宅在室者が店舗のサブコントローラ２３０まで移動せずに、自宅のコントローラ２２０において店舗の警備モードの設定を行うことができる。
【００８３】
次に、本実施の形態にかかる状況確認処理について説明する。図７は、本実施の形態にかかる自宅に設置されたコントローラ２２０の操作表示部２２１により店舗及び自宅の状況確認がなされた場合の状況確認処理の手順を示すフローチャートである。
【００８４】
まず、自宅に設置されたコントローラ２２０の操作表示部２２１から、自宅在室者による利用者ＩＤが入力される。そして、認証部２１４は、操作表示部２２１より受け付けた利用者ＩＤが利用者データベース２０７に登録されているか否かを判断することにより、認証部２１４が利用者データベース２０７に登録されている利用者であるか否かを照合する（ステップＳ７０１）。
【００８５】
次に、操作表示部２２１から、自宅在室者によって監視領域と状況確認要求が入力される。図８は、操作表示部２２１における監視領域の選択画面の一例を示す模式図である。図８に示すように、操作表示部２２１には、状況確認を行う監視領域を選択するための自宅及び店舗のボタンが表示される。自宅在室者が店舗の状況確認要求を行う場合には、自宅在室者が店舗のボタンを押下すると、状況確認要求を行う監視領域が店舗に選択される。
【００８６】
次に、状況確認部２１６は、自宅在室者により入力された監視領域と状況確認要求を受け付ける（ステップＳ７０２）。そして、状況確認部２１６は、受け付けた監視領域が店舗であるか自宅であるかを判断する（ステップＳ７０３）。
【００８７】
受け付けた監視領域が店舗であった場合（ステップＳ７０３：Ｙｅｓ）、状況確認部２１６は、店舗用警備モード記憶部２１３に記憶されている設定されている現在の店舗の警備モードと、カメラ２０４によって店舗の内部及びその周辺を撮像した画像を取得する（ステップＳ７０４）。そして、状況確認部２１６は、店舗用警備モード記憶部２１３より取得した現在の店舗の警備モードと、カメラ２０４より取得した店舗の内部及びその周辺の撮像画像を、操作表示部２２１に表示する（ステップＳ７０５）。これにより、自宅在室者は店舗に移動せず、自宅において、店舗内部の状況確認を行うことができる。
【００８８】
図９は、操作表示部２２１における店舗の現在の状況確認情報の一例を示す模式図である。図９に示すように、操作表示部２２１には、選択された監視領域、現在の警備モード、監視領域の撮像画像が表示される。店舗の状況確認要求を行う場合には、監視領域である店舗が表示され、店舗用警備モード記憶部２１３に記憶されている現在の警備モードが警備状態である旨が表示され、更に、カメラ２０４によって撮像された画面が表示される。
【００８９】
一方、受け付けた監視領域が自宅であった場合（ステップＳ７０３：Ｎｏ）、状況確認部２１６は、自宅用警備モード記憶部２１２に記憶されている設定されている現在の自宅の警備モードと、カメラ２０２によって自宅の内部及びその周辺を撮像した画像を取得する（ステップＳ７０６）。そして、状況確認部２１６は、自宅用警備モード記憶部２１２より取得した現在の自宅の警備モードと、カメラ２０２より取得した自宅の内部及びその周辺の撮像画像を、操作表示部２２１に表示する（ステップＳ７０７）。これにより、自宅在室者は、自宅の状況確認を行うことができる。
【００９０】
尚、本実施の形態における状況確認処理では、現在の店舗又は自宅（監視領域）の警備モード及び状況確認情報である監視領域における撮像画像の両方を、操作表示部２２１に表示しているが、警備モードまたは、撮像画像のいずれか一方を表示するような状況確認を行えるように構成しても良い。
【００９１】
このように、本実施の形態では、操作表示部２２１によって、自宅在室者による店舗の状況を確認する状況確認情報を要求する状況確認要求の入力を受け付け、状況確認部２１６によって、店舗の現在の警備モードまたは状況確認情報を取得し、操作表示部２２１に表示する。このため、自宅に併設された店舗まで移動せずに、自宅から店舗の現在の警備モードまたは状況を確認することができる。また、店舗において異常が検知された場合、自宅在室者は、操作表示部２２１で店舗における異常発生箇所など詳細な状況を把握した上で、点検や確認のために店舗に入ることができるため、速やかに店舗の異常発生箇所に移動し、適切かつ安全に確認または対処を行うことができる。更に、窃盗犯等が侵入した場合には、窃盗犯が潜んでいる可能性のある場所を把握した上で対処できることから、無防備な状態で窃盗犯に鉢合わせするなどの危険な状況に陥ることを回避できる。
【００９２】
例えば、店舗で異常が検知された場合、自宅在室者は、予め自宅において異常個所を確認した上で店舗に行くことができ、店舗に入る前に異常個所を把握することができる。
【００９３】
次に、本実施の形態にかかる異常検知情報の通報処理について説明する。図１０は、本実施の形態にかかる店舗に設置されたセンサ２０３ａ〜２０３ｎにより店舗の異常が検知され、異常通報部２１５によって、自宅に設置されているスピーカ２２３に店舗の異常検知情報が通報された場合の異常検知情報の通報処理の手順を示すフローチャートである。
【００９４】
まず、センサ２０１ａ〜２０１ｎ、センサ２０３ａ〜２０３ｎが、自宅又は店舗の異常を検知すると、異常通報部２１５は、異常を検知したセンサが店舗のセンサ２０３ａ〜２０３ｎか自宅のセンサ２０１ａ〜２０１ｎであるか否かの判断をする（ステップＳ１００１）。
【００９５】
異常を検知したセンサが、店舗のセンサ２０３ａ〜２０３ｎであった場合（ステップＳ１００１：Ｙｅｓ）、異常通報部２１５は、店舗用警備モード記憶部２１３から店舗の現在の警備モードを取得する。異常通報部２１５は、取得した店舗の現在の警備モードが警備解除状態に設定されているか否かを判断する（ステップＳ１００２）。
【００９６】
取得した店舗の現在の警備モードが、警備解除状態であった場合（ステップＳ１００２：Ｙｅｓ）は、異常通報部２１５は、異常検知情報を出力せずに、そのまま処理を抜ける。一方、取得した店舗の現在の警備モードが、警備解除状態ではなかった場合（ステップＳ１００２：Ｎｏ）は、異常通報部２１５は、自宅のコントローラ２２０に設置されたスピーカ２２３に店舗の異常検知情報を出力する（ステップＳ１００３）。これにより、自宅在室者でも、店舗で検知された異常を知ることができる。
【００９７】
一方、異常を検知したセンサが、自宅のセンサ２０１ａ〜２０１ｎであった場合（ステップＳ１００１：Ｎｏ）、異常通報部２１５は、自宅用警備モード記憶部２１２から自宅の現在の警備モードを取得する。異常通報部２１５は、取得した自宅の現在の警備モードが警備解除状態に設定されているか否かを判断する（ステップＳ１００４）。
【００９８】
取得した自宅の現在の警備モードが、警備解除状態であった場合（ステップＳ１００４：Ｙｅｓ）は、異常通報部２１５は、異常検知情報を出力せずに、そのまま処理を抜ける。一方、取得した自宅の現在の警備モードが、警備解除状態ではなかった場合（ステップＳ１００４：Ｎｏ）は、異常通報部２１５は、自宅のコントローラ２２０に設置されたスピーカ２２３に自宅の異常検知情報を出力する（ステップＳ１００５）。これにより、自宅在室者は、自宅で検知された異常を知ることができる。
【００９９】
このように、本実施の形態では、店舗の異常を検知した場合、異常通報部２１５によって、自宅に異常検知情報を通報する。このため、自宅に併設された店舗において異常が検知されたことを早期に知ることができるので、窃盗犯の侵入等や火災やガス漏れなどが発生した場合に、自宅在室者が身の危険にさらされることを回避し、あるいは早期に対処することで被害拡大を防止することができる。
【０１００】
例えば、自宅と店舗が監視領域であった場合に、店舗での火災やガス漏れなどの災害が、自宅に影響を及ぼすことも想定できる。このような場合でも、本実施の形態は、自宅において、店舗の異常検知情報の通報を受けることでき、検知された異常に対して早期に対処でき、被害の拡大を防止することができる。
【０１０１】
尚、本実施の形態では、自宅から店舗及び自宅の警備モード設定、状況確認を行い、店舗での異常が検知された場合でも、自宅に店舗の異常検知情報が出力されるが、店舗から自宅及び店舗の警備モード設定、状況確認を行い、自宅での異常が検知された場合でも、店舗に自宅の異常検知情報が出力されるようにすることも可能である。
【０１０２】
例えば、親が店舗で働いているときに、自宅に子供が帰ってきた場合、小さい子供に警備モードの設定を行わせることは容易ではなく、また、親が自宅に戻って警備モードの設定を行うために店舗を離れることが不都合な場合もある。このような場合であっても、親が店舗にいながらにして、自宅の警備モードの設定を行うことができるため、自宅、店舗の相互で警備モードの設定を行えることは有効である。
【０１０３】
（第２の実施の形態）
第１の実施の形態の警備装置は、自宅の操作表示部より店舗を監視領域として選択し、警備モードを入力した場合、自宅から店舗の警備モードの設定を行うことができるものであったが、第２の実施の形態の警備装置では、更に、予め特定の者に警備モードの設定を行うことができる権限を与え、利用者ＩＤを入力することによって、その権限を有すると認証された者のみが警備モードの設定を行えるものである。以下に、添付図面を参照して、第２の実施の形態について説明する。
【０１０４】
本実施の形態にかかる警備システムは、図１に示す第１の実施の形態にかかる警備システムと同様に、警備装置１１０と監視センタ１３０から構成されており、ネットワーク１２０を介して接続されている。ここで、監視センタ１３０、ネットワーク１２０の構成及び機能は、第１の実施の形態と同様であるので、説明を省略する。
【０１０５】
また、本実施の形態にかかる警備装置は、図２に示す第１の実施の形態にかかる警備装置と同様に構成されているため、図２を参照して、本実施の形態について説明する。本実施の形態にかかる警備装置１１０は、複数のセンサ２０１ａ〜２０１ｎと、カメラ２０２と、複数のセンサ２０３ａ〜２０３ｎと、カメラ２０４と、入出力制御部２０５と、通信制御部２０６と、利用者データベース２０７と、制御部２１０と、コントローラ２２０と、サブコントローラ２３０と、を主に備えている。
【０１０６】
ここで、複数のセンサ２０１ａ〜２０１ｎと、カメラ２０２と、複数のセンサ２０３ａ〜２０３ｎと、カメラ２０４と、入出力制御部２０５と、通信制御部２０６の構成及び機能は、第１の実施の形態と同様であるので、説明を省略する。
【０１０７】
利用者データベース２０７は、予め設定された利用者のＩＤ及び各ＩＤに対応して自宅、店舗の各監視領域の警備モードの設定の可否、状況確認要求の可否を登録したデータベースである。図１１は、利用者データベース２０７の一例を示すデータ構造図である。図１１に示すように、各利用者ＩＤに対応して、警備モードの設定及び状況確認要求の可否が自宅と店舗の各々について登録されている。
【０１０８】
制御部２１０は、さらに警備モード切替部２１１と、自宅用警備モード記憶部２１２と、店舗用警備モード記憶部２１３と、認証部２１４と、異常通報部２１５と、状況確認部２１６とを主に備えている。
【０１０９】
ここで、自宅用警備モード記憶部２１２と、店舗用警備モード記憶部２１３と、異常通報部２１５の構成及び機能は、第１の実施の形態と同様であるので、説明を省略する。
【０１１０】
警備モード切替部２１１は、認証部２１４によって、操作表示部２２１又は操作表示部２３１から利用者ＩＤを入力した自宅又は店舗の在室者が、自宅又は店舗における警備モードの設定を許可されていると判断された場合は、自宅用警備モード記憶部２１２又は店舗用警備モード記憶部２１３に、操作表示部２２１又は操作表示部２３１によって受け付けた警備モードの設定を行うものである。
【０１１１】
認証部２１４は、第１の実施の形態の構成及び機能に加えて、自宅に設置された操作表示部２２１又は、店舗に設置された操作表示部２３１に利用者ＩＤを入力した自宅又は店舗の在室者が、利用者データベース２０７において、自宅又は店舗における警備モード設定、状況確認要求の許可がされているか否かを判断するものである。
【０１１２】
状況確認部２１６は、認証部２１４によって、操作表示部２２１又は操作表示部２３１から利用者ＩＤを入力した自宅又は店舗の在室者が、自宅又は店舗における状況確認を許可されていると判断された場合は、自宅用警備モード記憶部２１２又は店舗用警備モード記憶部２１３から自宅又は店舗の現在の警備モードを取得し、カメラ２０２又はカメラ２０４によって撮像された自宅又は店舗の状況確認情報を取得し、操作表示部２２１又は操作表示部２３１に表示する。
【０１１３】
ここで、コントローラ２２０、サブコントローラ２３０の構成及び機能は、第１の実施の形態と同様であるので、説明は省略する。
【０１１４】
次に、以上のように構成された本実施の形態にかかる警備モード設定処理について説明する。図１２は、本実施の形態にかかる警備モード設定を許可された店舗在室者によって、店舗から店舗及び自宅の警備モード設定が行われた場合の警備モード設定処理の手順を示すフローチャートである。
【０１１５】
まず、店舗に設置されたコントローラ２３０の操作表示部２３１から、店舗在室者による利用者ＩＤが入力される。そして、認証部２１４は、操作表示部２３１より受け付けた利用者ＩＤが利用者データベース２０７に登録されているか否かを判断することにより、認証部２１４が利用者データベース２０７に登録されている利用者であるか否かを照合する（ステップＳ１２０１）。
【０１１６】
次に、店舗に設置された操作表示部２３１から、店舗在室者によって監視領域と警備モードが入力される。警備モード切替部２１１は、店舗在室者により入力された監視領域と警備モードを受け付ける（ステップＳ１２０２）。そして、警備モード切替部２１１は、受け付けた監視領域が店舗であるか自宅であるかを判断する（ステップＳ１２０３）。
【０１１７】
受け付けた監視領域が店舗であった場合（ステップＳ１２０３：Ｙｅｓ）、認証部２１４は、監視領域（店舗）と警備モードを入力した店舗在室者が、利用者データベース２０７に登録された店舗における警備モード設定を許可された者であるか否かを判断する（ステップＳ１２０４）。警備モードを入力した店舗在室者が、店舗における警備モード設定を許可された者でなかった場合（ステップＳ１２０４：Ｎｏ）は、エラーメッセージが出力され（ステップＳ１２０５）、処理を抜ける。
【０１１８】
一方、警備モードを入力した店舗在室者が、店舗における警備モード設定を許可されたものであった場合（ステップＳ１２０４：Ｙｅｓ）、警備モード切替部２１１は、店舗用警備モード記憶部２１３に記憶されている警備モードを、店舗在室者により入力された警備モードに設定する（ステップＳ１２０６）。
【０１１９】
ステップＳ１２０３において、受け付けた監視領域が自宅であった場合（ステップＳ１２０３：Ｎｏ）、認証部２１４は、監視領域（自宅）と警備モードを入力した店舗在室者が、利用者データベース２０７に登録された自宅における警備モード設定を許可された者であるか否かを判断する（ステップＳ１２０７）。警備モードを入力した店舗在室者が、自宅における警備モード設定を許可された者でなかった場合（ステップＳ１２０７：Ｎｏ）は、エラーメッセージが出力され（ステップＳ１２０８）、処理を抜ける。
【０１２０】
警備モードを入力した店舗在室者が、店舗における警備モード設定を許可されたものであった場合（ステップＳ１２０７：Ｙｅｓ）、警備モード切替部２１１は、自宅用警備モード記憶部２１２に記憶されている警備モードを、店舗在室者により入力された警備モードに設定する（ステップＳ１２０９）。
【０１２１】
そして、警備モード切替部２１１は、店舗に設置された操作表示部２３１に、店舗又は自宅の警備モードの設定を行った旨を表示する（ステップＳ１２１０）。これにより、店舗在室者が入力した警備モードの設定がなされたことが確認できる。
【０１２２】
このように、本実施の形態では、操作表示部２３１によって、店舗在室者による利用者ＩＤの入力を受け付け、認証部２１４によって、操作表示部２３１に利用者ＩＤを入力した店舗在室者が、利用者情報において、自宅における警備モードの設定を許可されているか否かを照合し、操作表示部２３１によって、店舗在室者による自宅の警備モードを設定するための入力を受け付け、警備モード切替部２１１によって、認証部２１４によって店舗在室者が自宅における警備モードの設定を許可されていると判断された場合は、自宅用警備モード記憶部２１２に、操作表示部２３１によって受け付けた警備モードを設定する。このように、自宅に対する警備モード設定の許可または不許可の権限を与えることにより、店舗から自宅の警備モードの設定を行わせたくない者による警備モードの設定を制限し、自宅の状況に合わせた警備モード設定の権限による利用を可能にする。
【０１２３】
例えば、店舗の警備設定の操作を従業員に任せるような場合、従業員が勝手に自宅の警備モードの設定をも行ってしまうのは好ましくない。よって、監視領域ごとに警備モードの設定を行える権限を有する者を予め設定しておくことにより、従業員が勝手に自宅の警備モードの設定を行うことを回避して、自宅の状況に合わせた警備モードを維持できる。
【０１２４】
次に、本実施の形態にかかる状況確認処理について説明する。図１３は、本実施の形態にかかる状況確認要求を許可された店舗在室者によって、店舗から店舗及び自宅の状況確認要求が行われた場合の状況確認要求処理の手順を示すフローチャートである。
【０１２５】
まず、店舗に設置されたコントローラ２３０の操作表示部２３１から、店舗在室者による利用者ＩＤが入力される。そして、認証部２１４は、操作表示部２３１より受け付けた利用者ＩＤが利用者データベース２０７に登録されているか否かを判断することにより、認証部２１４が利用者データベース２０７に登録されている利用者であるか否かを照合する（ステップＳ１３０１）。
【０１２６】
次に、店舗に設置された操作表示部２３１から、店舗在室者によって監視領域と状況確認要求が入力される。状況確認部２１６は、店舗在室者により入力された監視領域と状況確認要求を受け付ける（ステップＳ１３０２）。そして、状況確認部２１６は、受け付けた監視領域が店舗であるか自宅であるかを判断する（ステップＳ１３０３）。
【０１２７】
受け付けた監視領域が店舗であった場合（ステップＳ１３０３：Ｙｅｓ）、認証部２１４は、監視領域（店舗）と状況確認要求を入力した店舗在室者が、利用者データベース２０７に登録された店舗の状況確認要求を許可された者であるか否かを判断する（ステップＳ１３０４）。状況確認要求を入力した店舗在室者が、店舗における状況確認要求を許可された者でなかった場合（ステップＳ１３０４：Ｎｏ）は、エラーメッセージが出力され（ステップＳ１３０５）、処理を抜ける。
【０１２８】
一方、ステップＳ１３０４において、状況確認要求を入力した店舗在室者が、店舗における状況確認要求を許可されたものであった場合（ステップＳ１３０４：Ｙｅｓ）、状況確認部２１６は、店舗用警備モード記憶部２１３に記憶されている現在の警備モードを取得し、カメラ２０４によって店舗の内部及びその周辺を撮像した画像を取得する（ステップＳ１３０６）。そして、状況確認部２１６は、取得した店舗の警備モードと撮像画像を、店舗に設置されている操作表示部２３１に表示する（ステップＳ１３０７）。
【０１２９】
ステップＳ１３０３において、受け付けた監視領域が自宅であった場合（ステップＳ１３０３：Ｎｏ）、認証部２１４は、監視領域（自宅）と状況確認要求を入力した店舗在室者が、利用者データベース２０７に登録された自宅の状況確認要求を許可された者であるか否かを判断する（ステップＳ１３０８）。状況確認要求を入力した店舗在室者が、自宅における状況確認要求を許可された者でなかった場合（ステップＳ１３０８：Ｎｏ）は、エラーメッセージが出力され（ステップＳ１３０９）、処理を抜ける。
【０１３０】
一方、ステップＳ１３０８において、状況確認要求を入力した店舗在室者が、自宅における状況確認要求を許可されたものであった場合（ステップＳ１３０８：Ｙｅｓ）、状況確認部２１６は、自宅用警備モード記憶部２１２に記憶されている現在の警備モードを取得し、カメラ２０２によって自宅の内部及びその周辺を撮像した画像を取得する（ステップＳ１３１０）。そして、状況確認部２１６は、取得した自宅の警備モードと撮像画像を、店舗に設置されている操作表示部２３１に表示する（ステップＳ１３１１）。
【０１３１】
このように、本実施の形態では、操作表示部２３１によって、店舗在室者による利用者ＩＤの入力を受け付け、認証部２１４によって、操作表示部２３１に利用者ＩＤを入力した店舗在室者が、利用者情報において、店舗の状況確認要求を許可されているか否かを照合し、操作表示部２３１によって、店舗在室者による自宅の状況確認情報を要求する状況確認要求の入力を受け付け、状況確認部２１６によって、認証部２１４により店舗在室者が自宅の状況確認を許可されていると判断された場合は、自宅の現在の警備モードまたは状況確認情報を取得し、取得した自宅の現在の警備モードまたは状況確認情報を、操作表示部２３１に表示する。このように、自宅の状況確認要求の許可または不許可の権限を与えることにより、店舗から自宅の状況を確認させたくない者による状況確認を制限し、自宅の状況に合わせた状況確認要求の権限による利用を可能にする。
【図面の簡単な説明】
【０１３２】
【図１】第１の実施の形態かかる警備システムの構成を示すブロック図である。
【図２】第１の実施の形態にかかる警備装置の構成を示すブロック図である。
【図３】第１の実施の形態にかかる自宅から店舗及び自宅の警備モード設定が行われ    た場合の警備モード設定処理の手順を示すフローチャートである。
【図４】監視領域の選択画面の一例を示す模式図である。
【図５】店舗の警備モード設定画面の一例を示す模式図である。
【図６】店舗の警備モード設定完了画面の一例を示す模式図である。
【図７】第１の実施の形態にかかる自宅から店舗及び自宅の状況確認がなされた場合    の状況確認処理の手順を示すフローチャートである。
【図８】監視領域の選択画面の一例を示す模式図である。
【図９】店舗の現在の状況確認情報の一例を示す模式図である。
【図１０】第１の実施の形態にかかる異常検知情報の通報処理の手順を示すフローチ    ャートである。
【図１１】利用者データベースの一例を示すデータ構造図である。
【図１２】第２の実施の形態にかかる警備モード設定を許可された店舗在室者による    警備モード設定処理の手順を示すフローチャートである。
【図１３】第２の実施の形態にかかる状況確認要求を許可された店舗在室者による状    況確認要求処理の手順を示すフローチャートである。
【符号の説明】
【０１３３】
１００  警備システム
１１０  警備装置
１２０  ネットワーク
１３０  監視センタ
２０１ａ〜２０１ｎ、２０１ａ〜２０１ｎ  センサ
２０２、２０４  カメラ
２０５  入出力制御部
２０６  通信制御部
２０７  利用者データベース
２１０  制御部
２１１  警備モード切替部
２１２  自宅用警備モード記憶部
２１３  店舗用警備モード記憶部
２１４  認証部
２１５  異常通報部
２１６  状況確認部
２２０  コントローラ
２２１、２３１  操作表示部
２２２、２３２  マイク
２２３、２３３  スピーカ
２３０  サブコントローラ
【図１】
2007011614.tif 000003
【図２】
2007011614.tif 000004
【図３】
2007011614.tif 000005
【図４】
2007011614.tif 000006
【図５】
2007011614.tif 000007
【図６】
2007011614.tif 000008
【図７】
2007011614.tif 000009
【図８】
2007011614.tif 000010
【図９】
2007011614.tif 000011
【図１０】
2007011614.tif 000012
【図１１】
2007011614.tif 000013
【図１２】
2007011614.tif 000014
【図１３】
2007011614.tif 000015